(57)【要約】      （修正有）【課題】簡単で信頼性の高い構造、独創的なデザイン、多様な機能、及び低い製造コストを実現可能な新規多機能猫用ペットケージを提供する。【解決手段】新規多機能猫用ペットケージは、枠状のケージ体１と枠状のプラスチックベース９とを含み、枠状のプラスチックベースは、枠状のケージ体の底面の端部に取り付けられ、枠状のプラスチックベースの底面には、キャスター７が固定連結され、枠状のケージ体の前面の上部には、ペット出入り口２が設けられ、枠状のプラスチックベースの内部には、一側に収納引き出し５が配置され、他側に猫砂引き出し６が配置され、枠状のケージ体の内部の両側には、２つの猫遊び用足場板３がそれぞれ配置され、一方の猫遊び用足場板が収納引き出しの上方に固定され、他方の猫遊び用足場板が枠状のケージ体の内部の中段位置に固定され、枠状のプラスチックベースの頂部には、猫砂引き出しの上方に猫砂入れ枠４が固定される。【選択図】図１
0003230928.tif 000002
【実用新案登録請求の範囲】
【請求項１】
枠状のケージ体（１）と枠状のプラスチックベース（９）とを含む新規多機能猫用ペットケージであって、
前記枠状のプラスチックベース（９）は、前記枠状のケージ体（１）の底面の端部に取り付けられ、
前記枠状のプラスチックベース（９）の底面には、キャスター（７）が固定連結され、
前記枠状のケージ体（１）の前面の上部には、ペット出入り口（２）が設けられ、
前記枠状のプラスチックベース（９）の内部には、一側に収納引き出し（５）が配置され、他側に猫砂引き出し（６）が配置され、
前記枠状のケージ体（１）の内部の両側には、２つの猫遊び用足場板（３）がそれぞれ配置され、一方の前記猫遊び用足場板が収納引き出し（５）の上方に固定され、他方の前記猫遊び用足場板が前記枠状のケージ体（１）の内部の中段位置に固定され、
前記枠状のプラスチックベース（９）の頂部には、猫砂引き出し（６）の上方に猫砂入れ枠（４）が固定されることを特徴とする新規多機能猫用ペットケージ。
【請求項２】
前記枠状のプラスチックベース（９）の両側には、前記枠状のケージ体（１）の底部の両側に係止固定可能な２つのベース係止部材（８）がそれぞれ固定連結されることを特徴とする請求項１に記載の新規多機能猫用ペットケージ。
【請求項３】
前記キャスター（７）の数は４つであり、
前記４つの前記キャスター（７）は、それぞれ前記枠状のプラスチックベース（９）の底部のコーナー部に固定されることを特徴とする請求項１に記載の新規多機能猫用ペットケージ。
【請求項４】
前記収納引き出し（５）及び前記猫砂引き出し（６）は、前記枠状のプラスチックベース（９）に抜き差し可能に設けられ、前記収納引き出し（５）及び前記猫砂引き出し（６）の前面の底部には引手が設けられることを特徴とする請求項１に記載の新規多機能猫用ペットケージ。
【考案の詳細な説明】
【技術分野】
【０００１】
本考案は、ペットケージに関し、特に、新規多機能猫用ペットケージに関する。
【背景技術】
【０００２】
猫用ペットケージは、主に猫を運ぶために使用され、猫が生活や遊びのための独立した空間であり、ペットショップによって広く使用されている。猫の活動空間を制限するのに役立ち、また猫を保護することもできる。しかしながら、現在市販されている猫用ペットケージには様々な欠陥があり、生産や生活のニーズを満たすことができない。
【考案の概要】
【考案が解決しようとする課題】
【０００３】
従来の猫用ペットケージは、猫砂が底部に大量に配置されてペット猫の移動や排泄のための単純なケージであり、明確な機能パーティションがないため、使用には非常に不便である。
【０００４】
本考案の目的は、上記問題点を解消可能な新規多機能猫用ペットケージを提供することにある。
【課題を解決するための手段】
【０００５】
本考案に係る新規多機能猫用ペットケージは、枠状のケージ体と枠状のプラスチックベースとを含み、前記枠状のプラスチックベースは、前記枠状のケージ体の底面の端部に取り付けられ、前記枠状のプラスチックベースの底面には、キャスターが固定連結され、前記枠状のケージ体の前面の上部には、ペット出入り口が設けられ、前記枠状のプラスチックベースの内部には、一側に収納引き出しが配置され、他側に猫砂引き出しが配置され、前記枠状のケージ体の内部の両側には、２つの猫遊び用足場板がそれぞれ配置され、一方の前記猫遊び用足場板が収納引き出しの上方に固定され、他方の前記猫遊び用足場板が前記枠状のケージ体の内部の中段位置に固定され、前記枠状のプラスチックベースの頂部には、猫砂引き出しの上方に猫砂入れ枠が固定される。
【０００６】
好ましくは、前記枠状のプラスチックベースの両側には、前記枠状のケージ体の底部の両側に係止固定可能な２つのベース係止部材がそれぞれ固定連結される。
【０００７】
好ましくは、前記キャスターの数は４つであり、前記４つの前記キャスターは、それぞれ前記枠状のプラスチックベースの底部のコーナー部に固定される。
【０００８】
好ましくは、前記収納引き出し及び前記猫砂引き出しは、前記枠状のプラスチックベースに抜き差し可能に設けられ、前記収納引き出し及び前記猫砂引き出しの前面の底部には引手が設けられる。
【考案の効果】
【０００９】
本考案は、従来技術と比較して以下の有益な効果を有する。
本考案に係る新規多機能猫用ペットケージによれば、簡単で信頼性の高い構造、独創的なデザイン、多様な機能、及び低い製造コストという利点を有するので、大規模な普及に役立つ。また、底部に猫砂が大量に配置され、ペット猫の移動や排泄のための単純なケージであり、明確な機能パーティションがないため、使用には非常に不便であるという従来の猫用ペットケージの問題を解決することができる。
【図面の簡単な説明】
【００１０】
【図１】本考案に係る新規多機能猫用ペットケージの構造を示す概略図である。
【考案を実施するための形態】
【００１１】
図１に示すように、本考案に係る新規多機能猫用ペットケージは、枠状のケージ体１と枠状のプラスチックベース９とを含む。枠状のプラスチックベース９は、枠状のケージ体１の底面の端部に取り付けられ、枠状のプラスチックベース９の底面には、キャスター７が固定連結される。枠状のケージ体１の前面の上部には、ペット出入り口２が設けられる。枠状のプラスチックベース９の内部には、一側に収納引き出し５が配置され、他側に猫砂引き出し６が配置される。枠状のケージ体１の内部の両側には、２つの猫遊び用足場板３がそれぞれ配置され、一方の猫遊び用足場板３が収納引き出し５の上方に固定され、他方の猫遊び用足場板３が枠状のケージ体１の内部の中段位置に固定される。枠状のプラスチックベース９の頂部には、猫砂引き出し６の上方に猫砂入れ枠４が固定される。
【００１２】
本考案の一実施形態において、枠状のプラスチックベース９の両側には、枠状のケージ体１の底部の両側に係止固定可能な２つのベース係止部材８がそれぞれ固定連結される。
【００１３】
本考案の一実施形態において、キャスター７の数は４つであり、４つのキャスター７は、それぞれ枠状のプラスチックベース９の底部のコーナー部に固定される。
【００１４】
本考案の一実施形態において、収納引き出し５及び猫砂引き出し６は、枠状のプラスチックベース９に抜き差し可能に設けられ、収納引き出し５及び猫砂引き出し６の前面の底部には引手が設けられる。
【００１５】
本考案の動作原理と使用方法を以下に説明する。
本考案の新規多機能猫用ペットケージの設置が完了した後、飼い主はペット出入り口２によりペット猫をこのペットケージに入れたり出したりすることが可能である。ペット猫は、２つの猫遊び用足場板３で遊んだり、猫砂引き出し６における猫砂で排泄したりすることができる。また、ペット猫が猫砂から離れるときに体に付着した猫砂は、猫砂引き出し６の上方に配置された猫砂入れ枠４と接触して掻き落とされることにより、猫砂引き出し６に落とすことができる。さらに、収納引き出し５は、キャットフード、猫砂や猫砂スクープなどの雑物を収納することができる。
【符号の説明】
【００１６】
１  枠状のケージ体
２  ペット出入り口
３  猫遊び用足場板
４  猫砂入れ枠
５  収納引き出し
６  猫砂引き出し
７  キャスター
８  ベース係止部材
９  枠状のプラスチックベース
【図１】
0003230928.tif 000003